(57)【要約】  圧迫衣の巻き付け部は、手袋開口部を画定する手袋を含み得る。使用者は、その身体の周囲に前記圧迫衣を着るのを補助するために、前記手袋の前記手袋開口部中にその手を配置し得る。例えば、前記圧迫衣の前記巻き付け部は、ヒト使用者が掴持するのに扱いにくい位置にあり得て、前記手袋及び前記手袋開口部は、前記使用者がその身体周囲の前記巻き付け部を掴持して移動させるのを補助し得る。【選択図】図５
2019507833.tif 000002
【特許請求の範囲】
【請求項１】
使用者に圧迫衣を着せる方法であって、
第１腕に圧力を加えるために、使用者の前記第１腕の少なくとも一部を受容する腕開口部を画定する、腕部と、
前記腕部に連結する近位端領域から延在し、かつ遠位端領域で終了する巻き付け部と、を含む、圧迫衣であって、前記巻き付け部が、前記第１腕を前記腕部の前記腕開口部内に挿入する際、及び後側胴体領域周囲の前記巻き付け部を前記使用者の前側胴体領域に巻き付ける際、前記使用者を補助するために、前記使用者の第２腕の手を受容する手袋開口部を画定する、遠位端領域の手袋を含む、前記圧迫衣を提供することと、
前記使用者の前記第１腕を前記圧迫衣の前記腕部の前記開口部内に挿入することと、
前記使用者の前記第２腕の前記手を前記手袋部の前記開口部内に挿入することと、
前記第２腕の前記手を前記手袋開口部内に挿入するとき、前記第１腕を前記腕部の前記腕開口部内に更に挿入するのを補助するために、前記第１腕から離れる方向に前記使用者の前記第２腕の前記手を移動させることと、
前記第２腕の前記手を前記手袋開口部内に挿入するとき、前記後側胴体領域周囲の前記巻き付け部を前記使用者の前記前側胴体領域に巻き付けるために、前記使用者の前記前側胴体領域を横切って前記使用者の前記第２腕の前記手を移動させることと、を含む、前記方法。
【請求項２】
第１腕に圧力を加えるために、使用者の前記第１腕の少なくとも一部を受容する腕開口部を画定する、腕部と、
前記腕部に連結する近位端領域から延在し、かつ遠位端領域で終了する巻き付け部と、を含む、圧迫衣であって、前記巻き付け部が、前記第１腕を前記腕部の前記腕開口部内に挿入する際、及び後側胴体領域周囲の前記巻き付け部を前記使用者の前側胴体領域に巻き付ける際、前記使用者を補助するために、前記使用者の第２腕の手を受容する手袋開口部を画定する、遠位端領域の手袋を含む、前記圧迫衣。
【請求項３】
前記手袋開口部が、前記使用者の前記第２腕の前記手の指を上回って受容するためにサイズ設定される、請求項１〜２のいずれか一項に記載の方法または衣類。
【請求項４】
前記巻き付け部が、前記使用者の前記後側胴体領域周囲から前記前側胴体領域に巻き付くとき、前記手袋開口部が、前記腕部の前記位置の反対方向に開く、請求項１〜３のいずれか一項に記載の方法または衣類。
【請求項５】
前記圧迫衣が、前記巻き付け部の前記近位端領域に連結し、かつ前記腕部に連結する胴体部を更に含む、請求項１〜４のいずれか一項に記載の方法または衣類。
【請求項６】
前記巻き付け部の前記遠位端領域が、前記圧迫衣の前記胴体部に着脱可能に連結可能である、請求項５に記載の方法または衣類。
【請求項７】
前記巻き付け部の前記遠位端領域が、前記圧迫衣の前記胴体部に面ファスナーを使用して着脱可能に連結可能である、請求項６に記載の方法または衣類。
【請求項８】
前記圧迫衣が、前記胴体から１つ以上の腋窩リンパ節までリンパ液を移動させるのを補助するために着用されるとき、前記胴体部が、前記使用者の前記胴体の複数の胴体領域に圧力を加えるための複数の圧力印加領域を含む、請求項５〜７のいずれか一項に記載の方法または衣類。
【請求項９】
前記第１腕を前記腕部の前記腕開口部内に更に挿入するのを補助するために前記手袋開口部を使用する前に、前記第１腕を前記腕部の前記腕開口部内に挿入するのを補助するために、前記胴体部が、前記使用者の前記第２腕の前記手で掴持されるように構成される、請求項５〜８のいずれか一項に記載の方法または衣類。
【請求項１０】
前記第１腕を前記腕部の前記腕開口部内に更に挿入するのを補助するために前記手袋開口部を使用する前に、前記第１腕を前記腕部の前記腕開口部内に挿入するのを補助するために、前記胴体部が、前記使用者の前記第２腕の前記手で掴持されるように構成されるループ区域を含む、請求項９に記載の方法または衣類。
【請求項１１】
前記腕部が、第１端領域から前記巻き付け周囲部に連結する第２端領域に延在しており、前記第１端領域が、前記第１腕の脇の下に隣接して位置するように構成され、前記第２端領域が、前記圧迫衣を着用するとき、前記第１腕の前記手に隣接して位置するように構成される、請求項１〜１０のいずれか一項に記載の方法または衣類。
【請求項１２】
前記圧迫衣を着用するとき、前記第１腕から１つ以上の腋窩リンパ節までリンパ液を移動させるのを補助するために、前記腕部が、前記第１腕の複数の腕領域に圧力を加えるために、前記第１端領域から前記第２端領域へ前記腕部に沿って配置される、複数の腕圧力印加領域を画定する、請求項１１に記載の方法または衣類。
【請求項１３】
前記圧迫衣の前記腕部が、前記複数の腕圧力印加領域に対応し、かつ前記圧迫衣を着用するとき、前記複数の第１腕領域に圧力を加えるために流体を受容するように構成される、複数の小房を含む、請求項１２に記載の方法または衣類。
【請求項１４】
前記胴体から１つ以上の腋窩リンパ節までリンパ液を移動させるために、前記衣類の前記巻き付け部が、前記使用者の前記胴体の複数の胴体領域に圧力を加えるための複数の圧力印加領域を含む、請求項１〜１３のいずれか一項に記載の方法または衣類。
【発明の詳細な説明】
【技術分野】
【０００１】
本出願は、２０１６年３月９日出願の米国特許仮出願第６２／３０５，９５１号の利益を主張するものであり、その開示内容全体が参照により本明細書に組み込まれる。
【０００２】
本開示は概して、手袋を含む圧迫衣、及びこのような圧迫衣を着るまたは装着する方法に関する。一旦装着すると、圧迫衣は身体の一部（例えば、腕領域、肩領域、胴領域及び首領域など）の１つ以上の領域に圧力を加え得る。
【背景技術】
【０００３】
様々な種類の圧迫衣は、例えばリンパ浮腫、浮腫、創傷治癒などの治療に利用できる。例えば衣類は、膨張可能な小室または小房（または他の作動可能な要素）を含んで患者に治療を提供し得て、ヒトまたは動物の種々の身体部周囲に配置され得る。具体的には、衣類は、リンパ液の蓄積が原因で膨張を示し、かつ衣類によって提供される圧迫治療から利益を得る身体部の周囲に配置されてよい。例えば、このような小室または小房を、様々な順序で１つ以上の異なる圧力へ膨張可能にして、１つの領域から別の領域へリンパ液を移動させることによって、患者に治療を提供してもよい。すなわち、このような圧迫衣は、罹患肢で圧力を身体に加えるのに使用するために、個人の身体の少なくとも一部の周囲に配置され得る。これらの圧迫衣は、患者自身によって、または他からの援助によって着て（例えば、着用する）、かつ脱いで（例えば、取り外す）もよい。
【発明の概要】
【０００４】
使用者に圧迫衣を着せる１つの代表的な方法は、代表的な圧迫衣を提供することを含んでもよい。１つの代表的な圧迫衣は、第１腕に圧力を加えるために、使用者の第１腕の少なくとも一部を受容する腕開口部を画定する腕部と、腕部に連結する近位端領域から延在し、かつ遠位端領域で終了する巻き付け部と、を含んでもよい。巻き付け部は、第１腕を腕部の腕開口部内に挿入する際、及び後側胴体領域周囲の巻き付け部を使用者の前側胴体領域に巻き付ける際、使用者を補助するために、使用者の第２腕の手を受容する手袋開口部を画定する、遠位端領域の手袋を含んでもよい。代表的な方法は、使用者の第１腕を圧迫衣の腕部の開口部内に挿入することと、使用者の第２腕の手を手袋部の開口部内に挿入することと、を更に含んでもよい。代表的な方法は、第２腕の手を手袋開口部内に挿入するとき、第１腕を腕部の腕開口部内に更に挿入するのを補助するために、第１腕から離れる方向に使用者の第２腕の手を移動させることと、第２腕の手を手袋開口部内に挿入するとき、後側胴体領域周囲の巻き付け部を使用者の前側胴体領域に巻き付けるために、使用者の前側胴体領域を横切って使用者の第２腕の手を移動させることと、を更に含んでもよい。
【０００５】
１つ以上の実施形態にて、手袋開口部は、使用者の第２腕の手の指を上回って受容するためにサイズ設定されてもよい。１つ以上の実施形態にて、巻き付け部が、使用者の後側胴体領域周囲から前側胴体領域に巻き付くとき、手袋開口部は、腕部の位置の反対方向に開いてもよい。
【０００６】
１つ以上の実施形態にて、圧迫衣は、巻き付け部の近位端領域に連結し、かつ腕部に連結する胴体部を更に含んでもよい。巻き付け部の遠位端領域は、圧迫衣の胴体部に着脱可能に連結可能であり得る（例えば、面ファスナーを使用して）。
【０００７】
１つ以上の実施形態にて、圧迫衣が、胴体から１つ以上の腋窩リンパ節までリンパ液を移動させるのを補助するために着用されるとき、胴体部は、使用者の胴体の複数の胴体領域に圧力を加えるための複数の圧力印加領域を含んでもよい。更に、１つ以上の実施形態にて、胴体部は、第１腕を腕部の腕開口部内に更に挿入するのを補助するために手袋開口部を使用する前に、第１腕を腕部の腕開口部内に挿入するのを補助するために、使用者の第２腕の手で掴持されるように構成されてもよい。例えば、胴体部は、第１腕を腕部の腕開口部内に更に挿入するのを補助するために手袋開口部を使用する前に、第１腕を腕部の腕開口部内に挿入するのを補助するために、使用者の第２腕の手で掴持されるように構成される、ループ区域を含んでもよい。１つ以上の実施形態にて、腕部は、第１端領域から巻き付け周囲部に連結する第２端領域に延在してよい。第１端領域は、第１腕の脇の下に隣接して位置するように構成されてもよく、第２端領域は、圧迫衣を着用するとき、第１腕の手に隣接して位置するように構成されてもよい。更に、圧迫衣を着用するとき、第１腕から１つ以上の腋窩リンパ節までリンパ液を移動させるのを補助するために、腕部は、第１腕の複数の腕領域に圧力を加えるために、第１端領域から第２領域へ腕部に沿って配置される、複数の腕圧力印加領域を画定し得る。そのうえ更に、圧迫衣の腕部は、複数の腕圧力印加領域に対応し、かつ圧迫衣を着用するとき、複数の第１腕領域に圧力を加えるために流体を受容するように構成される、複数の小房を含んでもよい。
【０００８】
１つ以上の実施形態にて、胴体から１つ以上の腋窩リンパ節までリンパ液を移動させるために、衣類の巻き付け部は、使用者の胴体の複数の胴体領域に圧力を加えるための複数の圧力印加領域を含んでもよい。
【０００９】
上述した概要は、本開示の各実施形態またはすべての実施を記載することを意図するものではない。より完全な理解は、以下に記載する発明を実施するための形態及び特許請求の範囲を添付図面と併せて参照することによって明らかになり、かつ認識されるであろう。
【図面の簡単な説明】
【００１０】
【図１Ａ】手袋を有する巻き付け部を含む、代表的な圧迫衣の略図である。
【図１Ｂ】胴体部と、手袋を有する巻き付け部と、を含む、代表的な圧迫衣の平面図である。
【図２】図１Ａ〜図１Ｂの手袋が示すのに使用される手の図である。
【図３】手袋を有する巻き付け部を含む代表的な圧迫衣の腕部の左腕を挿入する、使用者の斜視図である。
【図４】図３の代表的な圧迫衣の腕部内に左腕を更に挿入する使用者の正面斜視図である。
【図５】手袋を使用する図３の代表的な圧迫衣の腕部内に左腕を更に挿入する使用者の背面斜視図である。
【図６】手袋を使用する胴体周囲の図３の代表的な圧迫衣の巻き付け部を巻く使用者の正面斜視図である。
【図７】圧迫衣を着用した後の、図３の使用者と代表的な圧迫衣の正面斜視図である。
【図８】図３〜図７の代表的な圧迫衣の分解斜視図である。
【発明を実施するための形態】
【００１１】
例示的実施形態の以下の詳細な説明において、その一部を形成する添付図面の図が参照され、実施され得る特定の実施形態が実例として示されている。他の実施形態が利用されてもよいこと、及び本明細書で提示される本開示の範囲から逸脱することなく（例えば、その範囲内に当てはまる）構造的変更がなされてもよいことを理解されたい。
【００１２】
例示の装置、構造体及び方法を、図１〜図８と関連して記載するものとする。一実施形態の要素が、他の実施形態の要素と組み合わせて使用され得ることと、本明細書に記載される特徴の組み合わせを用いたこのような装置、構造体及び方法の可能な実施形態は、図に示す及び／または本明細書に記載の特定の実施形態に限定されないことと、は当業者に明らかである。更に、本明細書に記載の実施形態が、必ずしも一定の比率で示されていない多くの要素を含み得ることを理解すべきである。そのうえ更に、本明細書の種々の要素のサイズ及び形状が変更されても、依然として本開示の範囲内に入り得るが、要素の特定の１つ以上形状及び／またはサイズ、または種類は他よりも有利であり得ることを理解すべきである。
【００１３】
本開示は概して、身体（例えば、ヒト、動物など）の少なくとも一部に装着されるように構成され、かつ身体のその一部に圧力を加えるように構成される衣類部を含む、圧迫衣及びシステム、ならびにそのような圧迫衣及びシステムを使用する方法（例えば、衣類を装着する方法、身体に加える圧力を制御する方法など）に関する。
【００１４】
圧迫衣システム（例えば、米国特許第６，１７９，７９６号表題「Ｌｙｍｐｈｅｄｅｍａ  ｔｒｅａｔｍｅｎｔ  ｓｙｓｔｅｍ」、米国特許第６，６４５，１６５号表題「Ｌｙｍｐｈｅｄｅｍａ  ｔｒｅａｔｍｅｎｔ  ｓｙｓｔｅｍ」、米国特許第６，８６０，８６２号表題「Ｌｙｍｐｈｅｄｅｍａ  Ｔｒｅａｔｍｅｎｔ  Ｓｙｓｔｅｍ」、米国特許第６，９６６，８８４号表題「Ｌｙｍｐｈｅｄｅｍａ  Ｔｒｅａｔｍｅｎｔ  Ｓｙｓｔｅｍ」、及び２０１６年１月２１日出願の米国特許仮出願第６２／２８１，７０６号表題「Ｃｏｍｐｒｅｓｓｉｏｎ  Ｇａｒｍｅｎｔ  Ｓｙｓｔｅｍ」に記載されている圧迫衣類など。そのそれぞれはその全体が参照により本明細書に組み込まれ、それは本明細書に記載の特徴を変更し得て、それによって変更され得る）は、リンパ浮腫のあるヒト、治療を必要としている動物、創傷治癒などのための治療を含む種々の理由のために使用してよい。本明細書で使用する場合「身体」という用語は、ヒトだけではなく、本明細書に記載の概念及び特徴から利益を得ることができる他の任意の動物種も意味する。このような圧迫衣は、個人の身体の少なくとも一部の周囲に配置され得て、罹患肢（例えば、頭、首、腕、胴体、肩など）で圧力を身体に加えるのに使用され得る。本明細書に記載のいくつかの実施形態は、身体の少なくとも一部（例えば、人体、腕、胴体、肩、頭、首など）に配置される（例えば、周囲に巻く、隣接して配置する、接近させて位置するなど）ように構成される衣類を有する、圧迫システムを含み得る。圧迫衣は、個人自身によって、または他からの援助によって着て（例えば、着用する）、かつ脱いで（例えば、取り外す）もよい。衣類は、流体（例えば、空気）を受容して圧迫治療を実行するように構成される衣類に分配される（例えば、全体に分配される、長さに沿って中心点または軸から離れる方向に「放射状に広がる」同心円状に分布される）１つ以上の小室（例えば、小房、区画、密封した容積、空気袋など）も含み得る。
【００１５】
圧迫衣システムにより提供される圧迫治療は、リンパ浮腫を治療に役立つ場合がある。リンパ浮腫は、遺伝により、癌治療により、寄生虫感染、損傷などにより生じ得る、局所的体液貯留及び組織膨張の病態である。頭頸部を覆う本明細書に記載の圧迫衣類は、治療効果を提供するために罹患個人によって使用され得る。具体的には、圧迫衣は、圧力を加えてより有益な位置に向かって（例えば、排液領域に向かって、罹患領域から離れる方向に、など）リンパ液を移動させることによって、リンパ節または血管を調整するように構成され得る。例えば、本明細書に記載の衣類及びシステムを使用した圧迫治療は、腕及び胴体領域または区域周辺で実行されて、例えば胴体内の種々のリンパ液収集領域に向かってリンパ液を移動させることによって腕及び胴体のリンパ浮腫を治療するのに役立ち得る。
【００１６】
本明細書に記載の圧迫衣は、身体の罹患領域に圧を加えて圧迫治療を適用するように構成され得る。圧迫衣は、各々が制御可能な圧力印加領域を含む、種々の部分を含み得る。各制御可能な圧力印加領域は、身体の特定部分に圧力を加える（例えば、治療中、特定時間で）ように構成され得る。制御可能な圧力印加領域は、互いと組み合わせて作動し、所望の方向（例えば、手から腕に下がり胴体に向かって、胴体の１つ以上の領域から胴体のリンパ液収集領域へ、など）にリンパ液を移動させる一連の圧力を身体に加えることによって、治療を提供するのに役立ち得る。リンパ液を移動させる身体への一連の圧力（例えば、圧迫治療の間、異なる時間で、腕、肩及び胴体のうちの１つ以上の部分に加え得られる圧力）のこのような印加は、身体への動圧の印加と呼ばれることがある。一連の圧力は、例えば遠位領域から近位領域への圧力勾配と呼ばれることもある。そのうえ、いくつかの実施形態で、動圧は連続的に加えられない場合があり、本明細書に更に記載されるように、その代わりに不連続的に加えられる。
【００１７】
圧迫衣の制御可能な圧力印加領域は、身体に静圧も印加し得る。例えば、圧迫衣類は、衣類の一部が治療期間にわたって身体に配置されるとき、定圧を印加され得る（例えば、治療期間にわたる静圧）、または治療期間の間、長期にわたって変化するために制御され得る圧力を印加され得る（例えば、動圧）。１つ以上の実施形態にて、動圧は、圧迫衣の１つ以上の小室によって身体の部分に印加され得る。１つ以上の小室は、流体（例えば、空気）を受容するように構成され得る。代わりに、または１つ以上の流体収容小室と組み合わせて、このような圧力は、圧力を身体に加えるように構成される、圧迫衣の１つ以上の作動可能な要素（例えば、圧迫を提供するのに好適な電気制御材料）を使用して印加され得る。
【００１８】
身体の少なくとも一部（例えば、人体または人体の少なくとも一部）周囲に配置されるように構成される、コントローラ１０２、ポンプ１０３及び衣類１００（例えば圧迫衣）を含む代表的な圧迫衣システム１０を、図１Ａに示す。コントローラまたは制御プロセッサー１０２は、衣類１００を使用して使用者の身体の１つ以上の領域または部分に加える圧力を制御するように構成され得る。例えば、コントローラ１０２は、衣類１００の複数の個々の制御された、個別の圧力印加領域を使用して使用者の身体の各領域または部分に印加される圧力を制御し得る。更に、例えば、衣類１００の圧力印加領域は、ひとまとまりでまたは組み合わせて制御され得る。１つ以上の実施形態にて、コントローラ１０２は、例えばリンパ浮腫治療を行うのに好適であり得る種々の異なる順序で圧力印加領域を制御するように構成され得る（例えば、所定の方法で圧力を加える）。
【００１９】
更に、衣類１００と関連する（例えば、圧力印加領域に隣接する衣類１００中に提供されるセンサー）、またはシステム１０の他の部分（例えば、ポンプ、導管、充満小室または小房などと関連するセンサー）と関連する１つ以上の圧力センサーで測定される１つ以上の圧力に基づいて、コントローラ１０２は圧力を制御し得る。本明細書に記載の構造（例えば、センサー）で改変され得る１つ以上の圧縮衣は、米国特許第６，８６０，８６２号表題「Ｌｙｍｐｈｅｄｅｍａ  Ｔｒｅａｔｍｅｎｔ  Ｓｙｓｔｅｍ」、米国特許第６，９６６，８８４号表題「Ｌｙｍｐｈｅｄｅｍａ  Ｔｒｅａｔｍｅｎｔ  Ｓｙｓｔｅｍ」、米国特許第６，１７９，７９６号表題「Ｌｙｍｐｈｅｄｅｍａ  ｔｒｅａｔｍｅｎｔ  ｓｙｓｔｅｍ」、米国特許第６，６４５，１６５号表題「Ｌｙｍｐｈｅｄｅｍａ  ｔｒｅａｔｍｅｎｔ  ｓｙｓｔｅｍ」、米国特許第９，０２７，４０８号表題「Ｅｌａｓｔｏｍｅｒｉｃ  Ｐａｒｔｉｃｌｅ  Ｈａｖｉｎｇ  Ａｎ  Ｅｌｅｃｔｒｉｃａｌｌｙ  Ｃｏｎｄｕｃｔｉｎｇ  Ｓｕｒｆａｃｅ，  Ａ  Ｐｒｅｓｓｕｒｅ  Ｓｅｎｓｏｒ  Ｃｏｍｐｒｉｓｉｎｇ  Ｓａｉｄ  Ｐａｒｔｉｃｌｅｓ，  Ａ  Ｍｅｔｈｏｄ  Ｆｏｒ  Ｐｒｏｄｕｃｉｎｇ  Ｓａｉｄ  Ｓｅｎｓｏｒ  Ａｎｄ  Ａ  Ｓｅｎｓｏｒ  Ｓｙｓｔｅｍ  Ｃｏｍｐｒｉｓｉｎｇ  Ｓａｉｄ  Ｓｅｎｓｏｒｓ」、及び米国特許第７，９４７，００３号表題「Ｐｒｅｓｓｕｒｉｚｅｄ  Ｍｅｄｉｃａｌ  Ｄｅｖｉｃｅ」に記載されている１つ以上の特徴と類似してよい、またはそれを含んでよく、そのそれぞれはその全体が参照により組み込まれる。
【００２０】
１つ以上の実施形態にて、コントローラ１０２（例えば、１つ以上の方法または工程を実行しかつ１つ以上の種類のメモリで実施した１つ以上のプログラムまたはルーチンを使用する、１つ以上のプロセッサー）は、システム及び／または１つ以上のその要素（例えば、１つ以上の圧力印加領域などによって圧迫治療を提供する）を制御するように構成され得る。１つ以上の実施形態にて、コントローラまたは制御プロセッサー１０２は、有線及び／または無線技術を使用して圧迫システムを制御するように構成され得る。
【００２１】
システムまたは種々の構成要素に属するものを含む、この開示に記載されている方法及び／または論理及び／または構成は、少なくとも一部では、ハードウェア、ソフトウェア、ファームウェアまたは任意のそれらの組み合わせで実施し得る。例えば、前記技術の種々の態様は、１つ以上のマイクロプロセッサー、マイクロコントローラ、ＤＳＰ、ＡＳＩＣ、ＦＰＧＡ、または他の任意の同等の統合したもしくは別個の論理回路、及びこのような要素または他の装置の任意の組み合わせを含む、１つ以上のプロセッサー内で実施され得る。「プロセッサー」または「処理回路」という用語は概して、単独でまたは他の論理回路もしくは他の任意の同等な回路と組み合わせた、前述の論理回路のいずれかを意味する。
【００２２】
このようなハードウェア、ソフトウェア及び／またはファームウェアは、本開示に記載されている種々の操作及び機能をサポートするために、同じ装置内でまたは別個の装置内（例えば、システム、システムの外側または両方の組み合わせ内で）で実施し得る。加えて、記載した要素のいずれかは、別個だが相互運用可能な論理装置として、一緒にまたは別途に実施し得る。異なる特徴の説明は、異なる機能面を強調することを目的とし、このような特徴が別個のハードウェアまたはソフトウェア要素により実現されなければならないことを必ずしも意味するものではない。むしろ、機能は、別個のハードウェアもしくはソフトウェア要素によって実行され得る、または共通のもしくは別個のハードウェアもしくはソフトウェア要素内に統合され得る。
【００２３】
ソフトウェアで実行するとき、本開示に記載されているシステム及び方法とされる機能は、コンピュータ可読媒体（例えばＲＡＭ、ＲＯＭ、ＮＶＲＡＭ、ＥＥＰＲＯＭ、ＦＬＡＳＨメモリ、磁気データ記憶媒体、光学データ記憶媒体など）上の命令及び／または論理として実施され得る。命令及び／または論理は、１つ以上のプロセッサーによって実行され、本開示に記載されている機能の１つ以上の態様をサポートし得る。
【００２４】
更に、圧迫衣システム１０は、圧迫衣１００が使用者によって着用されるとき、圧迫治療を適用するように、代表的な衣類１００の圧力印加領域のそれぞれのうちの１つ以上の小室に出入りする流体（例えば、流体（例えば、小室中の液体またはガス））を提供するために、コントローラ１０２により制御され得る、ポンプ１０３を含み得る。例えば、ポンプ１０３は、そこへの流体の流れまたはそこからの流体の除去を提供するように、複数のラインまたは管１０５によって、複数の圧力印加領域に対応する複数の小室の１つ以上に接続し得る。
【００２５】
更に、図１に示すように１つ以上の実施形態にて、コントローラ１０２は、１つ以上の電気線を介して及び／または無線で圧迫衣システムの１つ以上の要素に接続され得て、それは一般に点線１０４で表す。例えば、コントローラ１０２は、物理的電気接続を使用して及び／または無線で圧力印加領域（例えば、圧力を身体に加えるように構成される、衣類の電気的に作動可能な圧力印加領域など）と通信し、かつそれを制御するために接続し得る。
【００２６】
コントローラ１０２の制御下にて、衣類１００の制御可能な圧力印加領域は、衣類１００を着用する個人（例えば、患者）へのシステム１０による圧迫治療の提供を可能にして、その結果、リンパ液が、所望の方向（例えば、使用者の腕の遠位からその近位へ、使用者の胴体へ、使用者の脇の下及び腋窩リンパ節の下もしくはそれに近接した領域または区域へ、など）に使用者の身体全体にわたって流れる、と記載し得る。すなわち、様々な異なる順序で圧力印加領域を制御することによって（例えば、所定の方法で圧力を加える）、例えばリンパ液は一般に、使用者の腕の手から、腋窩リンパ節の近くまたはそれに近接した使用者の脇の下の使用者の胴体に向かって流れ得る。そのうえ、本明細書に記載の代表的なシステム１０及び衣類は、１つの腕または２つの腕と共に使用するように構成され得て、一方または両方の腕から、左右の腋窩リンパ節の一方または両方までリンパ液を移動させるように更に構成され得る。
【００２７】
代表的な衣類１００は巻き付け部１１０及び１つ以上の追加の衣類部１０８を含んでよく、それは、例えば図１Ａに示すように点線の箱によって表される。この実施形態で、衣類１００は、使用者の胴体周囲に延在し得る、単一の部分を含むとして記載されてもよく、それは巻き付け部１１０である。他の実施形態にて、衣類１００は、使用者の胴周囲に延在する２つ以上の部分を含んでよい。そのうえ、巻き付け部１１０は、例えば使用者の首周囲のいかなる不快さも回避するために、使用者の首の周囲にまたはそれに近接して延在するように構成されなくてもよい。１つ以上の追加の衣類部１０８は、破線の両側矢印によって示されるように巻き付け部１１０に連結され得る。１つ以上の追加の衣類部１０８は、使用者の腕の周囲に配置されるように構成される腕部、及び／または使用者の胴体の周囲に配置されるように構成される胴体部を含んでよい。
【００２８】
例えば、代表的な胴体部１３０は、図１Ｂで巻き付け部１１０に連結するとして示される。更に、例えば、患者の身体の一部周囲に装着されるように構成される代表的な腕部及び胴体部１３０は、図３〜図７に関連して本明細書で更に記載される。概ね、胴体部１３０は使用者の肩上に位置してもよく、その結果、胴体部１３０の肩領域１３２は、使用者の肩に近接して位置して、第１領域１３４は使用者の正面及び／または側面胴体領域に近接する第２領域１３６に連結し得る（例えば、面ファスナーなどによって着脱可能に連結される）。更に本明細書で記載するように、図３〜図７で示すように、第１領域１３４及び第２領域１３６は、使用者の胴体の前面または正面に近接して連結され得る。胴体部１３０は、第１領域１３４から延在する第１ループ部１３５と、第２領域１３６から延在する第２ループ部１３７を更に含んでもよい。第１及び第２ループ部１３５、１３７は、互いに連結して（例えば、固定した連結（例えば、一緒に縫製する）、着脱可能に連結（例えば、面ファスナーを使用））、図３に示すループ区域を提供し得て、それは、使用者の逆の腕を別の衣類部１０８に挿入するのを補助するために、使用者の手によって掴持され得る。
【００２９】
しかし、図１Ａ〜図１Ｂの実施形態から、複数の異なる種類の治療で使用するために構成した任意の種類の衣類及び／または衣類部は、巻き付け部１１０と共に使用され得ることを理解すべきである。
【００３０】
巻き付け部１１０は、近位端領域１１２から遠位端領域１１４に延在し得る。近位端領域１１２は、胴体部１３０を含む１つ以上の追加の衣類部１０８に連結するように構成され得る。１つ以上の実施形態にて、近位端領域１１２は、１つ以上の追加の衣類部１０８に固定して連結し得る（例えば、縫製、溶接、接着剤などで）。１つ以上の他の実施形態にて、近位端領域１１２は、１つ以上の追加の衣類部１０８に着脱可能に連結し得る（例えば、面ファスナーなどで）。１つ以上の実施形態にて、巻き付け部１１０またはその領域もしくは一部は、１つ以上の追加の衣類部１０８と一体化されてもよい。
【００３１】
巻き付け部１１０は、使用者の胴体の周囲を巻くように構成されて、例えば使用者の身体にもしくはその周囲に代表的な衣類１００を固定するまたは連結する、として概ね記載されてもよい。更に、巻き付け部１１０が、使用者の身体周囲で円または回転を完了するように構成され、その結果、衣類１００の巻き付け部１１０を含む少なくとも一部が、使用者の身体またはその一部周囲に延在することが、記載されてもよい。そのうえ更に、巻き付け部１１０は、使用者の胴体周囲に衣類１００の１つ以上の部分を締着させて、使用者の身体周囲に残りの衣類部を配置するまたは位置づけるように構成され得る。
【００３２】
巻き付け部１１０は、図１Ａで示すように１つ以上の圧力印加領域１１１を含んでよく、それは、本明細書に記載されるようにコントローラ１０２及びポンプ１０３によって制御され得る。他の実施形態にて、巻き付け部１１０は圧力印加領域を含まなくてもよく、その代わりに、１つ以上の追加の衣類部１０８を固定する機能をもっぱら提供してもよく、それは使用者の胴体部１３０を含む、１つ以上の圧力印加領域を含み得る。
【００３３】
本明細書に記載されるように、巻き付け部１１０は、近位端領域１１２から遠位端領域１１４に延在し得る。巻き付け部１１０は、遠位端領域１１４で終了するとして更に記載されてもよい。すなわち、巻き付け部１１０は、遠位端領域１１４の先に延在し得ない。巻き付け部１１０は、遠位端領域１１４に位置するまたはそれに近接する、手袋１２０を含んでよい。手袋１２０は、図３〜図７に関連して更に記載されるように、衣類１００を着用する際に使用者を補助するために、使用者の手を受容するように構成される、もしくはそのように設計される、手袋開口部１２１を画定してよい、またはそれを含んでよい。１つ以上の実施形態にて、手袋開口部１２１は３つの閉鎖端及び１つの開放端によって画定され得る。すなわち、手袋１２０はポケットを形成し得て、それは手袋開口部１２１と呼ばれてよい。更に、図示されるように、１つまたは複数の実施形態にて、手袋開口部１２１の閉鎖端は、巻き付け部１１０の遠位端領域で終了し得る。図示した実施形態にて、手袋１２０の第１部分は、巻き付け部１１０の遠位端領域１１４の一部でよく、手袋１２０の第２部分は、手袋１２０及び手袋開口部１２１を作製するまたは提供する（例えば、３つの端で付着して、１つの開放端を提供する）ために、巻き付け部１１０の遠位端領域１１４に付着し得る、またはそれと連結し得る（例えば、縫合、接着など）。手袋１２０及び手袋開口部１２１またはポケットが、任意の方法で形成され得ることを理解すべきである。例えば、手袋１２０、したがって手袋開口部１２１は、巻き付け部１１０の一部をそれ自体上へ折り返して、上縁及び底縁を結合して、手袋開口部１２１であるポケットを形成することによって、作製または形成され得る。
【００３４】
手袋開口部１２１が使用者の手の指または一部の指を上回って受容するように構成されるように、手袋１２０及び手袋開口部１２１はサイズ設定かつ構築され得る。すなわち、手袋開口部１２１は、通常のヒト使用者の手または少なくとも大部分の使用者の手を受容するように、通常のヒト使用者の指より大きいポケットを画定し得る。更に、手袋開口部１２１は、図２に示すように使用者の中手指節関節（例えば、指骨と中手骨の間の関節）を基準にして記載されてよい。例えば、手袋開口部１２１は、矢印９で示すように、中手指節関節の線７を越えて、使用者の手５の人さし指、中指、薬指、小指及び少なくともその一部もしくは領域を受容する、または保持するようにサイズを構成されてよい。そのうえ更に、図６〜図７に示すように、巻き付け部１１０が、使用者の後側胴体領域周囲から前側胴体領域に巻き付くとき、手袋開口部１２１が腕部１４０の位置の反対方向に開くように、手袋１２０は構成されてよい。
【００３５】
手袋１２０及び手袋開口部１２１のサイズ及び構成は、任意の数の利点を提供し得る。例えば、手袋１２０ひいては手袋開口部１２１が、着用中、使用者の背中または後方に位置するとき、手袋開口部１２１のサイズは、手袋開口部１２１に使用者の手を位置決めするまたは配置する際、使用者を補助し得て、その結果、例えば使用者は、手袋１２０を探す及び／またはそれに到達することに悩まされる可能性はない、またはあり得ない。更に、例えば、手袋開口部１２１のサイズは、使用者の手を受容するために大きな標的を提供し得る。更に、例えば、手袋開口部１２１のサイズは、使用者が単なるその指または指先だけでなくその腕を使用して、手袋１２０を移動させるので巻き付け部１１０を移動させるのも可能にし得る。そのうえ更に、例えば、手袋１２０及び手袋開口部１２１のサイズ及び構成は、より短い腕またはより長い腕の使用者を含む、種々の大きさの使用者が、衣類１００を着用するとき、手袋開口部１２１に届くのを可能にし得る。
【００３６】
１つ以上の追加の衣類部１０８は、使用者の腕の少なくとも一部を受容して、圧迫治療を腕に提供するように構成される、腕部を更に含んでよい。例えば、腕部は、使用者の腕の少なくとも一部を受容するために腕開口部を画定し得る。腕部１４０ならびに巻き付け部１１０及び胴体部１３０を含む、代表的な圧迫衣１０１は、使用者によって装着されている図３〜図７に示される。
【００３７】
腕部１４０は、近位端または第１端領域１４２から遠位端または第２端領域１４４に延在し得て、腕開口部は、近位端領域１４２から遠位端領域１４４に延在して、使用者の腕を受容し得る。この例で、使用者の左腕は、腕部１４０の腕開口部によって受容されている。腕部１４０の遠位端領域１４４は、開いても閉じてもよい。この例で、遠位端領域１４４は閉鎖端１４５を画定して、その結果、使用者の手または使用者の手の少なくとも一部（例えば、１つ以上の指）は、腕部１４０の遠位端領域１４４から外に延在し得ない。他の実施形態にて、遠位端領域１４４は開放端を画定して、その結果、使用者の手または使用者の手の少なくとも一部（例えば、１つ以上の指）は、腕部１４０の遠位端領域１４４から外に延在し得る。腕部１４０は、本明細書に記載されるように、遠位端領域１４４から近位端領域１４２へ腕部１４０に沿って、その内部に分散された、もしくはその周囲に配置された複数の腕圧力印加領域を含み得て、または画定し得て、それは、腕部１４０の遠位または第２端領域１４４から近位または第１端領域１４２に向かう方向にリンパ液を移動させるように構成され得る。腕部１４０の近位端領域１４２は、胴体部１３０に連結し得る。１つ以上の実施形態にて、腕部１４０の近位端領域１４２は、胴体部１３０に縫合、溶接、接着剤などによって固定して連結または一体化され得る。１つ以上の他の実施形態にて、近位端部１４２は、胴体部１３０に着脱可能に連結し得る（例えば、面ファスナーなどで）。そのうえ１つ以上の実施形態にて、腕部１４０は、種々のサイズの使用者の腕を開口部に嵌合させるために可変であり得る。例えば、図３の両側矢印で示すように、腕部１４０の開口部の円周は、調節可能でもよい（例えば、面ファスナーなどによって）。
【００３８】
衣類１０１が使用者によってきちんとまたは完全に着用されるとき、腕部１４０の遠位端領域１４４は、使用者の手に近接して位置決めされ得て、腕部１４０の近位端領域１４２は、使用者の脇の下または肩に近接して位置決めされてもよい。更に、胴体部１３０の第１領域１３４は、例えば使用者の腕を取り囲むまたはその周りを環状に囲むために、胴体部１３０の第２領域１３６に近接して位置決めされ、かつ場合によってはそれに連結されてよい。衣類１０１の代表的な装着方法または手順を、図３〜図７に示す。図３に示すように、使用者は、その左腕を衣類１０１の腕部１４０の開口部内に挿入して、腕部１４０の遠位端領域１４４と近位端領域１４２の間の腕部１４０の領域をその右手で掴持して、使用者の脇の下及び／または肩領域に向かって腕部１４０を移動させて、矢印１５０で示すようにその左腕の周囲に腕部１４０の位置決めした。すなわち、使用者は、その左腕を腕部１４０の腕開口部に入れて、近位端領域１４２から遠位端領域１４４へ押し入れた。
【００３９】
更に、第１ループ部１３５及び第２ループ部１３７は、ループ区域１３９を形成する、またはそれを画定するために、図３に示すように一緒に連結されている。ループ区域１３９は、使用者によって装着されるように胴体衣１３０の種々の領域及び部分を配置するために、胴体衣１３０の第１領域１３４を第２領域１３４に連結するとして記載されてよい。例えば、使用者は、ループ区域１３９を掴持して、それから腕部１４０の腕開口部内にその左腕を挿入する前に、代表的な圧迫衣１０１を静止位置（例えば、代表的な圧迫衣１０１は、床に、台に、箱の中などに置いてあり得る）から持ち上げ得る。すなわち、使用者は、ループ区域１３９を使用して、装着する前に、圧迫衣１０１を配向し得る。そのうえ、本明細書で更に記述するように、使用者は、ループ区域１３９を掴持して、更にその左腕を腕部１４０の開口部内に挿入するのを補助し得る。ループ区域１３９及びその一部１３５、１３７は、１つ以上の材料（例えば弾性材料、メッシュ材、ポリマー材など）を含んでよい。
【００４０】
次に、図４に示すように、使用者は、胴体部１３０の第２領域１３６の一部を掴持して、矢印１５２で示すように、その左手から離れる方向に前記部分を移動させて、更にその左腕を腕部１４０の開口部内に挿入するのを補助し得る。特にこの動きで、矢印１５４で示すように、使用者の左の脇の下及び／または肩の近くに、腕部１４０の近位端領域１４２を移動させ得る。すなわち、使用者は、その左腕上に腕部１４０を摺動させ続け得る。そのうえ、図示していないが、使用者は、ループ区域１３９を掴持して、その左腕から離れる方向に前記区域１３９を移動させて、更にその左腕を腕部１４０の開口部内に挿入するのも補助し得る。ループ区域１３９は、使用者へ、胴体部１３０上の位置の簡便な掴持を提供し得る。そのうえ更に、第１及び第２ループ部１３５、１３７は、ループ区域１３９を形成または画定するために互いに連結しているとして残りの図５〜図７に示されないが、ループ区域１３９がいくつかの実施形態に含まれてもよく、他の実施形態に含まれ得ないことを理解すべきである。
【００４１】
図４でわかるように、巻き付け部１１０の遠位端領域１１４は、使用者の後ろの低い後方位置にあり得て、その結果、例えば、衣類１０１の胴体部１３０の第２領域１３６上で、使用者の胴体の右側周囲及び使用者の胴体の前方側にわたって巻き付け部分１１０を、位置決めし、掴持して、次に移動させる、もしくは巻き付けることが、遠位端領域１１４は困難であり得るまたは課題が存在し得る。更に、巻き付け部１１０の遠位端領域１１４は、ヒト使用者が掴持するのに扱いにくい位置（例えば、使用者の背後、またはその部分的に背後、使用者の胴回り下方に下がっている、など）にあるとして記載されてよい。
【００４２】
遠位端領域１１４と手袋開口部１２１がどこにあろうとも、使用者は、その身体の後でその右腕を、巻き付け部１１０の遠位端領域１１４に到達させて、巻き付け部１１０の手袋１２０の手袋開口部１２１内にその右手を挿入して、そして次に図５の矢印１５６で示すように、左腕から離れる方向にその右手及び腕を移動させ得る。示すように、左腕から離れる方向へのこの動きは、矢印１５８で示すように、腕部１４０の腕開口部内に左腕を挿入することを更に補助し得る。すなわち、図５に示されるこの動き及び機能は、腕部１４０の腕開口部に使用者の左腕を更に摺動して入れ得る。更に、示すように、使用者の右手の指を上回る大きさのものが、例えば手袋１２０のサイズ及び／または構成に起因して、巻き付け部１１０の手袋１２０の手袋開口部１２１に位置する、またはその範囲内に受容される。
【００４３】
使用者の左腕が、図５に示すこの動きを使用して、腕部１４０の腕開口部内に十分または完全に挿入されると、使用者は、その右手、したがってその右腕を使用者の前側胴体領域を横切って移動させて、図６に示すように使用者の後側胴体領域周囲の巻き付け部１１０を前側胴体領域へ巻き付け得る。使用者は、矢印１６０で示すように、左腕に向かう方向に巻き付け部１１０の遠位端領域１１４を移動させることによって、巻き付け部１１０を使用者の胴体周囲に更に締着し得る。巻き付け部１１０のこの動きは、胴体周囲に胴体部１４０及び／または巻き付け部１１０を締着して、例えばぴったりした適合を提供し得て、使用者の身体周囲に残りの衣類部などを配置し得る。そうして巻き付け部１１０の遠位端領域１１４は、使用者の前側周囲の胴体部１３０に連結または固定され得る（例えば、面ファスナーによって着脱可能に連結する、など）。少なくとも１つの実施形態で、巻き付け部１１０の遠位端領域１１４の内部または内側表面（例えば、使用者に向く表面）は、胴体部１３０の外部または外側表面（例えば、使用者から離れる方向に向いている表面）に着脱可能に連結されるように構成される面ファスナーを含んでよい。
【００４４】
少なくとも１つの実施形態で、衣類１０１またはその部分／領域は、外側表面層、または「フック」面または材料に連結するための外側表面上の「ループ」面を画定するために、１つ以上のファブリック材料によって画定される、またはそれを含む、外側表面を画定する層を含んでもよい。例えば、代表的な衣類１０１の外側表面は、「面」ファスナーで使用するための「ループ」面によって部分的にまたは完全に画定されるとして記載されてよい。巻き付け部１１０の遠位端領域１１４は、胴体部１３０の外側「ループ」表面への着脱可能な連結を容易にするために、内側表面上の「フック」面を画定し得る。
【００４５】
図７に示すように、使用者は、衣類１０１を着用し終えて、例えば、リンパ液を移動させるために圧迫治療を開始し得る。更に、衣類１０１は単一の部分を含むとして記載されてよく、それは、きちんとまたは完全に着用されたとき、使用者の胴体周囲に延在する巻き付け部１１０である。加えて、衣類１０１は、腕部１４０に位置する腕の反対側の肩もしくは首領域周囲にまたはそれに近接して延在する、衣類部を含まないとして記載されてよい。例えば、使用者の右肩及び右の首領域（ならびに前方及び後方の首領域）は、その周囲に延在する衣類部が「なく」、それは、例えばその領域周囲のいかなる快適さ問題も回避し得る。そのうえ更に、巻き付け部１１０が胴体部１３０に連結された後、巻き付け部１１０は、ＰＣＴ国際出願第ＰＣＴ／ＵＳ２０１５／０３６９５１号表題「Ｃｏｍｐｒｅｓｓｉｏｎ  Ｇａｒｍｅｎｔ  Ｓｙｓｔｅｍ  ｗｉｔｈ  Ｔｉｇｈｔｅｎｉｎｇ  Ａｐｐａｒａｔｕｓ」（その全体が参照により本明細書に組み込まれる）に記載されている１つ以上の特徴と類似し得る、またはそれを含み得る、種々の締め付け装置を使用して更に締められ得る。例えば、巻き付け部１１０の長さは、このような代表的な締め付け装置を使用して調整され得る。
【００４６】
特に指示がない限り、本明細書及び特許請求の範囲で使用される形状寸法、量、及び物理的特性を表すすべての数字は、いずれの場合においても「約」という用語によって修飾されているものとして理解されるべきである。開示した例で列挙されるその特定の材料及びその寸法、ならびに他の条件及び詳細は、本開示を過度に制限しないと解釈されるべきである。本内容が構造的特徴及び／または方法的行為に特有の言語で記載されているが、添付の請求の範囲で定義される内容は、上述の特定の特徴または行為に必ずしも限定されるわけではないことを理解すべきである。むしろ、上述の特定の特徴及び行為は、特許請求の範囲を実行する代表的な形態として開示される。
【図１Ａ】
2019507833.tif 000003
【図１Ｂ】
2019507833.tif 000004
【図２】
2019507833.tif 000005
【図３】
2019507833.tif 000006
【図４】
2019507833.tif 000007
【図５】
2019507833.tif 000008
【図６】
2019507833.tif 000009
【図７】
2019507833.tif 000010
【図８】
2019507833.tif 000011
【国際調査報告】
2019507833.tif 000012
2019507833.tif 000013
2019507833.tif 000014